(57)【要約】      （修正有）【課題】  小型でより操作力を軽くできるとともにスムーズにハンドルを回動できる扉開閉機構を提供する。【解決手段】  扉開閉機構において、シャフトカバー８に内嵌されるシャフト５１により軸支されるハンドル５と、ハンドル５に遊嵌される第１軸部３２ａと扉２ａに支持される第２軸部３２ｂとを有してクランクシャフトカバー５６に挿通されるクランクシャフト３２と、クランクシャフト３２に取り付けられて本体部６に設けたスライド外カム１２に対向配置されるカムレバー３１と、第２軸部３２ｂを嵌合して支持する略Ｕ字型の嵌合部５６ａを有して扉２ａに配されるクランクシャフトカバー５６と、クランクシャフトカバー５６に保持されて第２軸部３２ｂの開放側を支持する支持部材５７とを備え、操作部５ａを引くとカムレバー３１がスライド外カム１２を押圧して扉２ａが開口部の周囲から所定間隔離隔される。【選択図】      図５
2006242440.tif 000002
【特許請求の範囲】
【請求項１】
開口部を有した本体部に取り付けられる扉を前記開口部の周囲に接離して前記開口部を開閉する扉開閉機構において、
前記扉に充填される断熱材と、
前記断熱材の内部に配置されるとともに前記断熱材の端面から挿脱可能なシャフトと、
前記シャフトに嵌合して前記扉に軸支されるとともに操作部を把持して回動するハンドルと、
前記シャフトに対して前記操作部と同じ側で前記ハンドルに回動自在に連結される第１軸部と、第１軸部の端部を屈曲した連続部を介して第１軸部に平行に設けられるとともに前記扉に回動自在に取り付けられる第２軸部とを有して、前記断熱材の内部に配置されるとともに前記断熱材の端面から挿脱可能なクランクシャフトと、
第２軸部に対して第１軸部と反対側に配されて前記開口部の周囲に対向配置される当接部と、
を備え、前記操作部を引くと前記当接部が前記本体部を押圧して前記扉が前記開口部の周囲から所定間隔離隔されることを特徴とする扉開閉機構。
【請求項２】
前記シャフト及び前記クランクシャフトを前記断熱材の下端面から挿脱可能にしたことを特徴とする請求項１に記載の扉開閉機構。
【請求項３】
前記シャフトに外嵌して前記断熱材を遮蔽するシャフトカバーと、前記クランクシャフトが挿通されるとともに前記断熱材を遮蔽するクランクシャフトカバーとを備え、前記シャフトカバー及び前記クランクシャフトカバーを前記断熱材の端面に開口したことを特徴とする請求項１または請求項２に記載の扉開閉機構。
【請求項４】
前記断熱材の端面を覆うドアキャップを設け、前記シャフトカバー及び前記クランクシャフトカバーを前記ドアキャップと一体に形成したことを特徴とする請求項３に記載の扉開閉機構。
【請求項５】
前記クランクシャフトカバーに挿入して前記連続部を支持する支持部材を設けたことを特徴とする請求項３または請求項４に記載の扉開閉機構。
【請求項６】
前記連続部を支持する前記支持部材の支持面に円弧状の複数のリブを突設したことを特徴とする請求項５に記載の扉開閉機構。
【請求項７】
前記支持部材及び前記クランクシャフトカバーにより第２軸部を回転自在に挟持したことを特徴とする請求項４〜請求項６のいずれかに記載の扉開閉機構。
【請求項８】
第２軸部と摺動するとともに第２軸部の軸方向に延びて周方向に並設される複数のリブを前記支持部材に設けたことを特徴とする請求項７に記載の扉開閉機構。
【請求項９】
前記ハンドルに設けた長孔に第１軸部を遊嵌したことを特徴とする請求項１〜請求項８のいずれかに記載の扉開閉機構。
【請求項１０】
前記シャフトと前記当接部とを第１軸部に対して反対側に配置したことを特徴とする請求項１〜請求項９のいずれかに記載の扉開閉機構。
【請求項１１】
前記ハンドル及び前記当接部を前記扉の両側に対称に設けるとともに、前記扉と前記本体部との係合及び離脱を行う２つのカム機構を前記扉の両側に対称に設け、
前記扉の閉止状態で両側の前記カム機構が対称な第１係止位置をとり、前記扉の一方を開く際に前記扉が該一方の外側に向かってスライド移動して他方の前記カム機構が第２係止位置に移行することにより前記扉が回動自在にスライド規制され、
前記シャフトよりも前記操作部を前記扉の中央側に配置したことを特徴とする請求項１〜請求項１０のいずれかに記載の扉開閉機構。
【請求項１２】
前記カム機構により前記シャフトの下端面を支持したことを特徴とする請求項１１に記載の扉開閉機構。
【請求項１３】
開口部を有した本体部に取り付けられる扉を前記開口部の周囲に接離して前記開口部を開閉する扉開閉機構において、
前記扉に充填される断熱材と、
前記断熱材の内部に配置されるとともに前記断熱材の端面から挿脱可能なシャフトと、
前記シャフトに嵌合して前記扉に軸支されるとともに操作部を把持して回動するハンドルと、
前記ハンドルに連結して前記開口部の周囲に対向配置される当接部と、
を備え、前記操作部を引くと前記当接部が前記本体部を押圧して前記扉が前記開口部の周囲から所定間隔離隔されることを特徴とする扉開閉機構。
【請求項１４】
前記シャフトに外嵌して前記断熱材を遮蔽するシャフトカバーを備え、前記シャフトカバーを前記断熱材の端面に開口したことを特徴とする請求項１３に記載の扉開閉機構。
【請求項１５】
前記断熱材の端面を覆うドアキャップを設け、前記シャフトカバーを前記ドアキャップと一体に形成したことを特徴とする請求項１４に記載の扉開閉機構。
【発明の詳細な説明】
【技術分野】
【０００１】
本発明は、冷蔵庫等の扉を開閉させる扉開閉機構に関する。
【背景技術】
【０００２】
開口部を有した本体部に取付けられた扉が開口部の周囲に接離して開口部を開閉する従来の扉開閉機構は特許文献１に開示されている。この扉開閉機構は本体部に扉が回動可能に設けられ、扉にはハンドルが軸支される。ハンドルは使用者が把持して操作する操作部を有し、ハンドルの回動軸に対して操作部と反対側の端部は開口部の周囲に対向して配置される。操作部を引いてハンドルを回動すると、てこの原理によって該端部が本体部を押圧する。これにより、小さい操作力で扉が開口部の周囲から所定間隔離隔され、更に操作部を引くことにより扉が回動して開成される。
【特許文献１】特開２０００−１８８０３号公報（第２頁−第３頁、第３図）
【発明の開示】
【発明が解決しようとする課題】
【０００３】
しかしながら、上記従来の扉開閉機構によると、ハンドルの操作力を軽くするためには操作部を長くする必要がある。加えて、本体部を押圧する端部が操作部と反対側に配置される。このため、ハンドルが大型になり、回動半径が大きく操作性が低下する問題があった。また、ハンドルを設置するスペースが制限される場合には、操作部と回動軸とが接近して操作力を充分軽くすることができない問題があった。
【０００４】
本発明は、小型でより操作力を軽くできる扉開閉機構を提供することを目的とする。
【課題を解決するための手段】
【０００５】
上記目的を達成するために本発明は、  開口部を有した本体部に取り付けられる扉を前記開口部の周囲に接離して前記開口部を開閉する扉開閉機構において、
前記扉に充填される断熱材と、
前記断熱材の内部に配置されるとともに前記断熱材の端面から挿脱可能なシャフトと、
前記シャフトに嵌合して前記扉に軸支されるとともに操作部を把持して回動するハンドルと、
前記シャフトに対して前記操作部と同じ側で前記ハンドルに回動自在に連結される第１軸部と、第１軸部の端部を屈曲した連続部を介して第１軸部に平行に設けられるとともに前記扉に回動自在に取り付けられる第２軸部とを有して、前記断熱材の内部に配置されるとともに前記断熱材の端面から挿脱可能なクランクシャフトと、
第２軸部に対して第１軸部と反対側に配されて前記開口部の周囲に対向配置される当接部と、
を備え、前記操作部を引くと前記当接部が前記本体部を押圧して前記扉が前記開口部の周囲から所定間隔離隔されることを特徴としている。
【０００６】
この構成によると、操作部を把持して引くとハンドルがシャフトを中心に回動し、第１軸部を介してハンドルに連結されるクランクシャフトが第２軸部を回動中心として回動する。クランクシャフトの回動によって当接部が回動して開口部の周囲が押圧される。ハンドルの操作力はてこの原理により増幅して第１軸部に伝えられ、更にクランクシャフトで増幅して当接部に伝えられる。また、シャフトに対して操作部と第１軸部が同じ側に配置され、ハンドルとクランクシャフトが平面視または正面視において重なって配置される。
【０００７】
扉には断熱材が充填され、周囲を断熱材で囲まれたシャフト及びクランクシャフトは断熱材の端面から挿脱される。シャフト及びクランクシャフトを断熱材から抜き出すことによりハンドルを取り外しできる。
【０００８】
また本発明は、上記構成の扉開閉機構において、前記シャフト及び前記クランクシャフトを前記断熱材の下端面から挿脱可能にしたことを特徴としている。
【０００９】
また本発明は、上記構成の扉開閉機構において、前記シャフトに外嵌して前記断熱材を遮蔽するシャフトカバーと、前記クランクシャフトが挿通されるとともに前記断熱材を遮蔽するクランクシャフトカバーとを備え、前記シャフトカバー及び前記クランクシャフトカバーを前記断熱材の端面に開口したことを特徴としている。
【００１０】
この構成によると、シャフトカバー及びクランクシャフトカバーが配された扉内に断熱材が充填される。断熱材はシャフトカバー及びクランクシャフトカバーで遮蔽され、シャフト及びクランクシャフトを挿入するスペースが確保される。
【００１１】
また本発明は、上記構成の扉開閉機構において、前記断熱材の端面を覆うドアキャップを設け、前記シャフトカバー及び前記クランクシャフトカバーを前記ドアキャップと一体に形成したことを特徴としている。
【００１２】
また本発明は、上記構成の扉開閉機構において、前記クランクシャフトカバーに挿入して前記連続部を支持する支持部材を設けたことを特徴としている。この構成によると、連続部が支持部材と摺動しながらクランクシャフトが回動する。クランクシャフトカバーが断熱材の下端面に開口する場合は、連続部は下方から挿入された支持部材上に配置される。
【００１３】
また本発明は、上記構成の扉開閉機構において、前記連続部を支持する前記支持部材の支持面に円弧状の複数のリブを突設したことを特徴としている。この構成によると、連続部は支持部材に設けた円弧状のリブと摺動してクランクシャフトが回動する。
【００１４】
また本発明は、上記構成の扉開閉機構において、前記支持部材及び前記クランクシャフトカバーにより第２軸部を回転自在に挟持したことを特徴としている。この構成によると、クランクシャフトカバー及び支持部材には例えば、断面半円形の円筒面が形成され、両円筒面により形成される貫通孔に第２軸部が嵌合する。
【００１５】
また本発明は、上記構成の扉開閉機構において、第２軸部と摺動するとともに第２軸部の軸方向に延びて周方向に並設される複数のリブを前記支持部材に設けたことを特徴としている。支持部材には例えば断面半円形の円筒面が形成され、該円筒面の内面側に軸方向に延びた複数のリブが設けられる。第２軸部はリブと摺動して回転自在に保持される。
【００１６】
また本発明は、上記構成の扉開閉機構において、前記ハンドルに設けた長孔に第１軸部を遊嵌したことを特徴としている。この構成によると、ハンドルの回動に伴って第１軸部が長孔内を相対的に移動して係合し、クランクシャフトが回動する。
【００１７】
また本発明は、上記構成の扉開閉機構において、前記シャフトと前記当接部とを第１軸部に対して反対側に配置したことを特徴としている。この構成によると、ハンドルの幅内にクランクシャフト及び当接部を配置できるとともに、シャフトと第１軸部との距離を短くできる。
【００１８】
また本発明は、上記構成の扉開閉機構において、前記ハンドル及び前記当接部を前記扉の両側に対称に設けるとともに、前記扉と前記本体部との係合及び離脱を行う２つのカム機構を前記扉の両側に対称に設け、
前記扉の閉止状態で両側の前記カム機構が対称な第１係止位置をとり、前記扉の一方を開く際に前記扉が該一方の外側に向かってスライド移動して他方の前記カム機構が第２係止位置に移行することにより前記扉が回動自在にスライド規制され、
前記シャフトよりも前記操作部を前記扉の中央側に配置したことを特徴としている。
【００１９】
この構成によると、例えばハンドルが扉の左右端に設けられ、左側のハンドルを引くと扉が左側から前方に回動するとともに左方向にスライド移動し、左側のカム機構の係合が解除して右側のカム機構が第１係止位置から第２係止位置に移動する。右側のカム機構は第２係止位置で扉の枢支軸を保持して扉が回動する。
【００２０】
また本発明は、上記構成の扉開閉機構において、前記カム機構により前記シャフトの下端面を支持したことを特徴としている。この構成によると、シャフトカバーが断熱材の下端面に開口する場合に、シャフトカバーに挿入されたシャフトの下端面がカム機構により支持され、シャフトの脱落が防止される。
【００２１】
また本発明は、開口部を有した本体部に取り付けられる扉を前記開口部の周囲に接離して前記開口部を開閉する扉開閉機構において、
前記扉に充填される断熱材と、
前記断熱材の内部に配置されるとともに前記断熱材の端面から挿脱可能なシャフトと、
前記シャフトに嵌合して前記扉に軸支されるとともに操作部を把持して回動するハンドルと、
前記ハンドルに連結して前記開口部の周囲に対向配置される当接部と、
を備え、前記操作部を引くと前記当接部が前記本体部を押圧して前記扉が前記開口部の周囲から所定間隔離隔されることを特徴としている。
【００２２】
この構成によると、操作部を把持して引くとハンドルがシャフトを中心に回動し、ハンドルに連結される当接部が回動して開口部の周囲が押圧される。ハンドルの操作力はてこの原理により増幅して当接部に伝えられる。扉には断熱材が充填され、周囲を断熱材で囲まれたシャフトは断熱材の端面から挿脱される。シャフトを断熱材から抜き出すことによりハンドルを取り外しできる。
【００２３】
また本発明は、上記構成の扉開閉機構において、前記シャフトに外嵌して前記断熱材を遮蔽するシャフトカバーを備え、前記シャフトカバーを前記断熱材の端面に開口したことを特徴としている。この構成によると、シャフトカバーが配された扉内に断熱材が充填される。断熱材はシャフトカバーで遮蔽され、シャフトを挿入するスペースが確保される。
【００２４】
また本発明は、上記構成の扉開閉機構において、前記断熱材の端面を覆うドアキャップを設け、前記シャフトカバーを前記ドアキャップと一体に形成したことを特徴としている。
【発明の効果】
【００２５】
本発明によると、シャフトに対して操作部と同じ側でハンドルに遊嵌される第１軸部と、第１軸部と平行に形成されて扉に支持される第２軸部とを有したクランクシャフトを備えたので、ハンドルとクランクシャフトを重なるように配置して扉開閉機構を小型にできるとともに、操作部を引く操作力をハンドル及びクランクシャフトにより増幅して軽い操作力で扉を開くことができる。
【００２６】
また、シャフト及びクランクシャフトを断熱材の端面から挿脱できるので、シャフト及びクランクシャフトを抜き出してハンドルを取り外すことができる。これにより、ハンドルを破損した際に扉と一緒に交換する必要がなくハンドルのみを交換することができる。従って、使用者の負担を軽減して利便性の高い扉開閉機構を提供することができる。加えて、使用者の多様なニーズに対応して色やデザイン等の異なるハンドルを容易に取り替えることができる。
【００２７】
また本発明によると、断熱材の端面に開口するシャフトカバー及びクランクシャフトカバーを設けたので、断熱材内に配されたシャフト及びクランクシャフトを挿脱できる扉開閉機構を簡単に実現することができる。
【００２８】
また本発明によると、クランクシャフトカバーに挿入して連続部を支持する支持部材を設けたので、クランクシャフトの脱落を防止できるとともに、ハンドルに近い位置で連続部を支持して第１軸部を短縮し、第１軸部の傾倒を低減することができる。従って、クランクシャフトをスムーズに回動させることができる。
【００２９】
また本発明によると、連続部を支持する支持部材の支持面に円弧状の複数のリブを突設したので、クランクシャフトと支持部材との摺動面積を縮小してクランクシャフトをよりスムーズに回動させることができる。
【００３０】
また本発明によると、支持部材及びクランクシャフトカバーにより第２軸部を回転自在に挟持したので、回転自在のクランクシャフトを簡単に扉に設けることができる。
【００３１】
また本発明によると、第２軸部と摺動するとともに第２軸部の軸方向に延びて周方向に並設される複数のリブを支持部材に設けたので、支持部材と第２軸部との摺動面積を縮小してクランクシャフトをよりスムーズに回動させることができる。
【００３２】
また本発明によると、ハンドルに設けた長孔に第１軸部を遊嵌したので、第２軸部を扉に回転自在に固定して当接部による押圧位置を一定にすることができる。
【００３３】
また本発明によると、シャフトと当接部とを第１軸部に対して反対側に配置したので、扉開閉機構をより小型化できるとともにより軽い操作力で扉を開くことができる。
【００３４】
また本発明によると、扉の両側にカム機構を有し、扉の一方を開く際に扉が該一方の外側に向かってスライド移動して、シャフトよりも操作部を扉の中央側に配置したので、操作部を引く際に扉を容易にスライド移動させることができ、扉開閉機構の操作性を向上することができる。
【００３５】
また本発明によると、カム機構によりシャフトの下端面を支持したので、部品点数を削減して簡単にシャフトの脱落を防止することができる。
【００３６】
また本発明によると、シャフトを断熱材の端面から挿脱できるので、シャフトを抜き出してハンドルを取り外すことができる。これにより、ハンドルを破損した際に扉と一緒に交換する必要がなくハンドルのみを交換することができる。従って、使用者の負担を軽減して利便性の高い扉開閉機構を提供することができる。加えて、使用者の多様なニーズに対応して色やデザイン等の異なるハンドルを容易に取り替えることができる。
【００３７】
また本発明によると、断熱材の端面に開口するシャフトカバーを設けたので、断熱材内に配されたシャフトを挿脱できる扉開閉機構を簡単に実現することができる。
【００３８】
また本発明によると、前記断熱材の端面を覆うドアキャップを設け、シャフトカバーやクランクシャフトカバーをドアキャップと一体に形成したので、断熱材の露出を防止して扉開閉機構の美感を向上することができるとともに、部品点数を削減することができる。
【発明を実施するための最良の形態】
【００３９】
以下に本発明の実施形態を図面を参照して説明する。図１は一実施形態の扉開閉機構を備えた冷蔵庫示す正面図である。冷蔵庫１は上段に冷蔵室２が設けられ、下段に野菜室３と冷凍室４とが左右に並んで配置される。冷蔵室２は断熱材が充填された左右両開きの扉２ａにより本体部６（図４参照）の前面を覆われ、詳細を後述するように左右に対称に設けられたハンドル５の操作によって左右どちらからでも開閉可能になっている。
【００４０】
図２、図３は冷蔵室２の本体部６（図４参照）側の下部に配されるヒンジアングル１０の左半分を示す正面図及び上面図である。ヒンジアングル１０は亜鉛メッキ鋼板等の金属により左右対称に形成され、本体部６にネジ止めされる。ヒンジアングル１０にはステンレス等から成るヒンジピン１１及びロック外カム１２がカシメ止めによって左右対称に設けられている。
【００４１】
また、ヒンジアングル１０の上面にはインサート成形によりヒンジカバー１０ａが設けられている。ヒンジピン１１は扉２ａの枢支軸となり、ヒンジピン１１と同心の円弧状のリブ１３がヒンジカバー１０ａと一体に形成されている。ロック外カム１２はヒンジピン１１から所定距離離れて配置され、スライド外カム２２（図４参照）と摺動して扉２ａを案内する。
【００４２】
図４は扉２ａの下端の左側に設けられるスライドカム部材２０とヒンジアングル１０との係合関係を示す平面図である。スライドカム部材２０は扉２ａの左右端に対称に設けられる。スライドカム部材２０の端部にはヒンジピン１１を相対的に摺動案内する略Ｌ字型に連続した第１、第２溝カム２４、２５が凹設されている。
【００４３】
第２溝カム２５の周囲にはリブ１３と摺動するボス２３が突設されている。第１、第２溝カム２４、２５の扉中央側には溝部２１が凹設される。溝部２１内にはロック外カム１２に対向するスライド外カム２２が突設される。これにより、スライドカム部材２０及びヒンジアングル１０は互いに係合して扉２ａを案内するカム機構を構成する。尚、同図において、スライドカム部材２０の上記各構成は下面に設けられるが、便宜上、実線で示している。
【００４４】
また、スライドカム部材２０は扉２ａの上面にも左右対称に設けられ、本体部６の上方にはスライドカム部材２０に係合するヒンジピン１１、ロック外カム１２及びリブ１３が設けられている。
【００４５】
扉２ａの下面に配されるスライドカム部材２０の溝部２１内にはカムレバー３１（当接部）が配置されている。カムレバー３１はロック外カム１２に対向配置され、扉２ａに支持されたクランクシャフト３２（図５参照）の第２軸部３２ｂを回動中心として回動する。
【００４６】
図５、図６、図７は扉２ａの左下部を示す正面断面図、上面断面図及び側面断面図である。また、図８は図５のＡ−Ａ断面図である。扉２ａは発泡樹脂から成る断熱材３５が充填され、樹脂成形品から成るドアキャップ９により断熱材３５の上下端面が覆われる。ドアキャップ９により断熱材３５の露出を防止して冷蔵庫１及び扉開閉機構の美感を向上することができる。
【００４７】
断熱材３５の内部にはシャフトカバー７、８及びクランクシャフトカバー５６が設けられる。シャフトカバー７、８及びクランクシャフトカバー５６により扉２ａ内部に注入されて発泡する断熱材３５が遮蔽される。シャフト５１及びクランクシャフト３２はシャフトカバー７、８及びクランクシャフトカバー５６内に挿入される。これにより、断熱材３５の内部にシャフト５１及びクランクシャフト３２を回動自在に配置することができるようになっている。
【００４８】
シャフト５１はスライドカム部材２０の上面に設けた突起部２０ａにより下端面が支持され、脱落が防止されている。これにより、シャフト５１の脱落を防止する部材を別途設ける必要がなく部品点数を削減することができる。尚、詳細を後述するように、クランクシャフト３２はクランクシャフトカバー５６内に挿入される支持部材５７により連続部３２ｄが支持され、脱落が防止されている。
【００４９】
また、シャフトカバー７及びクランクシャフトカバー５６はドアキャップ９と一体に設けられ、下端が開口する。これにより、部品点数を削減して断熱材３５の下端面からシャフト５１及びクランクシャフト３２を挿脱可能になっている。シャフトカバー７及びクランクシャフトカバー５６をドアキャップ９と別部材により形成してもよい。
【００５０】
ハンドル５はシャフトカバー７、８に内嵌するシャフト５１で軸支される。これにより、ハンドル５はシャフト５１が回動軸となり、操作部５ａを把持して前方に引くことにより回動する。シャフト５１にはねじりバネ５５が挿通される。ねじりバネ５５は回動するハンドル５を元の位置に復帰させる。
【００５１】
ハンドル５はハンドル本体部５２、ハンドル補強アングル５３及びハンドル装飾板５４から成っている。図９（ａ）〜（ｃ）はハンドル本体部５２を示す平面図、正面図及び側面図である。ハンドル本体部５２は樹脂成形品から成り、シャフト５１が挿通される挿通孔５２ａが一端に設けられる。挿通孔５２ａよりも扉２ａの中央側が開放端となり、使用者が把持する操作部５ａが形成される。
【００５２】
図１０（ａ）、（ｂ）はハンドル補強アングル５３を示す平面図及び正面図である。ハンドル補強アングル５３は金属板から成り、ハンドル本体部５２の前面に取付けられる。ハンドル補強アングル５３の一端にはシャフト５１が挿通される挿通孔５３ａが形成される。挿通孔５３ａに対して操作部５ａと同じ側には、クランクシャフト３２の第１軸部３２ａ（図１２参照）が挿通される長孔５３ｂが設けられる。
【００５３】
図１１（ａ）〜（ｃ）はハンドル装飾板５４を示す平面図、正面図及び側面図である。ハンドル装飾板５４は樹脂成形品から成り、裏面側に突設される係合爪５４ａが係合孔５２ｂ（図９参照）に係合してハンドル本体部５２に取付けられる。
【００５４】
図１２はクランクシャフト３２を示す正面図である。クランクシャフト３２は平行な第１、第２軸部３２ａ、３２ｂを有し、第２軸部３２ｂの下端を折曲して屈曲部３２ｃが形成されている。また、第１軸部３２ａの下端と第２軸部３２ｂの上端とを連続させる連続部３２ｄが屈曲により形成されている。
【００５５】
図５〜図８において、屈曲部３２ｃにはカムレバー３１が取り付けられ、カムレバー３１が第２軸部３２ｂに垂設される。これにより、クランクシャフト３２及びカムレバー３１はハンドル５の回動によって第２軸部３２ｂを回動中心として回動するレバー部材３０を構成する。第１軸部３２ａはハンドル補強アングル５３の長孔５３ｂに挿通して遊嵌され、ハンドル５とクランクシャフト３２を連結する。クランクシャフト３２でハンドル５とカムレバー３１とを連結することにより、本体部６の開口部の周囲に対向配置されるカムレバー３１から上下方向に離れた所望の位置にハンドル５を配置して利便性を向上することができる。
【００５６】
クランクシャフトカバー５６の一端は断面半円形の円筒面に形成され、該円筒面には軸方向に延びる複数の支持リブ（不図示）が放射状に突設されている。クランクシャフトカバー５６は該支持リブに摺接する第２軸部３２ｂを中心として第１軸部３２ｂ及び連続部３２ｄが回動可能なように平面視略扇形に形成される。クランクシャフトカバー５６の内側には下方の開口から挿入してクランクシャフト３２を支持する支持部材５７が設けられる。
【００５７】
図１３(ａ)、（ｂ）は支持部材５７を示す上面図及び正面図である。支持部材５７の一端は断面半円形の円筒面５７ａから成り、円筒面５７ａには軸方向に延びる複数の支持リブ５６ｆが放射状に突設されている。クランクシャフトカバー５６に設けられた支持リブ及び支持部材５７の支持リブ５７ｂによって第２軸部３２ｂを挟持して第２軸部３２ｂが回転自在に支持される。
【００５８】
支持部材５７及びクランクシャフトカバー５６により第２軸部３２ｂを回転自在に挟持したので、回転自在のクランクシャフト３２を簡単に扉２ａに設けることができる。また、支持リブ５７ｂによって第２軸部３２ｂを支持することにより、支持部材５７と第２軸部３２ｂとの摺動面積を縮小してクランクシャフト３２をよりスムーズに回動させることができる。
【００５９】
支持部材５７の上面５７ｃ（支持面）には円筒面５７ａと略同心の円弧状に形成されるリブ５７ｄが径方向に並んで突設される。クランクシャフト３２の連続部３２ｄはリブ５７ｄ上に設置される。これにより、クランクシャフト３２の脱落を防止できるとともに、クランクシャフト３２と支持部材５７との摺動面積を縮小してクランクシャフト３２をスムーズに回動させることができる。
【００６０】
また、クランクシャフトカバー５６内の上方に支持部材５７の上面５７ｃを配置することにより、ハンドル５に近い位置で連続部３２ｄを支持することができる。これにより、クランクシャフト３２の第１軸部３２ａを短縮し、第１軸部３２ａの傾倒を低減することができる。従って、クランクシャフト３２をよりスムーズに回動させることができる。
【００６１】
上記構成の扉開閉機構において、ハンドル５の操作部５ａを引くと、操作力が長孔５３ａを介して第１軸部３２ａに伝えられ、第１軸部３２ａがクランクシャフトカバー５６内を前方に回動する。第１軸部３２ａの回動によりクランクシャフト３２は第２軸部３２ｂを回動中心として回動し、カムレバー３１が後方に回動してロック外カム１２を押圧する。これにより、図１４に示すように、扉２ａが開口部の周囲から所定間隔離隔される。
【００６２】
この時、操作部５ａとシャフト５１との距離に対して第１軸部３２ａとシャフト５１との距離が小さく、操作部５ａの操作力が増幅される。また、第１軸部３２ａと第２軸部３２ｂとの距離に対して第２軸部３２ｂとカムレバー３１のロック外カム１２に当接する部分との距離が小さくなっている。これにより、操作力が更に増幅される。従って、ハンドル５及びレバー部材３０（図６参照）によって倍力機構を構成し、軽い操作力でロック外カム１２を押圧することができる。
【００６３】
また、シャフト５１に対して操作部５ａと第１軸部３２ａとは同じ側に配置されるため、ハンドル５とレバー部材３０とが平面視重なって配置される。これにより、ハンドル５の左右方向の幅内にレバー部材３０が設けられる。従って、ハンドル５の大きさが制限された場合でも、操作部５ａとシャフト５１との距離を長くとって小型で操作力の増幅率の大きい扉開閉機構を得ることができる。扉２ａ下端のスペースがある場合はハンドル５の幅からレバー部材３０をはみ出して配置してもよい。
【００６４】
また、シャフト５１とカムレバー３１とを第１軸部３２ａに対して反対側に配置しているので、ハンドル５の左右方向の幅内にレバー部材３０を設けつつ、シャフト５１と第１軸部３２ａとの距離を短くすることができる。従って、操作力をより大きく増幅させることができる。
【００６５】
尚、第１軸部３２ａと第２軸部３２ｂとの距離に対して第２軸部３２ｂとカムレバー３１のロック外カム１２に当接する部分との距離を略等しく若しくは若干長く形成してもよい。このようにすると、レバー部材３０による操作力の増幅効果は得られない。しかし、操作部５ａとシャフト５１との距離を長くとって小型で操作力の増幅率の大きい扉開閉機構を得ることができる。
【００６６】
また、ハンドル５とレバー部材３０とは回動中心が異なるため、これらを連結する第１軸部３２ａは長孔５３ａに遊嵌されている。第１軸部３２ａをハンドル５に回動自在に固定して、第２軸部３２ｂを扉２ａに遊嵌してもよい。第２軸部３２ｂを固定して第１軸部３２ａを遊嵌した場合は、カムレバー３１の押圧位置を一定にして安定して押圧することができる。
【００６７】
図１５〜図１８は扉２ａを開成する際のカム機構の動作を示す平面図である。図１５において、扉２ａの閉止状態では左右のカム機構はヒンジピン１１が第１溝カム２４の端部に配置された第１係止位置をとる。第１溝カム２４は後方へいくほど扉２ａの中央側に傾斜しているため、扉２ａを係止して扉２ａの両側を引くことによる脱落が防止される。
【００６８】
扉２ａの左側のハンドル５の操作部５ａを引くと、前述の図１４に示すように、カムレバー３１によって左側のロック外カム１２が押圧され、扉２ａが本体部６から離隔する。図１６はこの時の状態を示している。左側のカム機構は、ヒンジピン１１が第１カム溝２４により相対的に案内され、ロック外カム１２とスライド外カム２２とが摺動する。右側のカム機構はヒンジピン１１が第２カム溝２５により相対的に案内される。これにより、扉２ａは回動しながら左方向にスライド移動する。
【００６９】
更にハンドル５を引くと左側のロック外カム１２からカムレバー３１が離れる。図１７はこの時の状態を示している。左側のカム機構は、上記と同様に、ヒンジピン１１が第１カム溝２４により相対的に案内され、ロック外カム１２とスライド外カム２２とが摺動する。右側のカム機構はヒンジピン１１が第２カム溝２５の端部に配置され、ボス２３がリブ１３と摺動を開始する。これにより、ヒンジピン１１は相対的にスライド規制してロックされ、回動自在に支持される。
【００７０】
更にハンドル５を引くと、図１８に示すように、左側のカム機構は係合が解除される。右側のカム機構は第２係止位置でボス２３がリブ１３に摺動し、スライド外カム２２がロック外カム１２を摺動案内する。そして、右側のカム機構が第２係止位置を維持して扉２ａが開放される。
【００７１】
上記の左右両開きの扉２ａは開成時に開く側の外側にスライド移動を伴う。ハンドル５の回動軸となるシャフト５１に対して操作部５ａが扉２ａの中央側に配置されるため、操作部５ａの操作力は開く側の外側に向かって働く。従って、容易に扉２ａをスライド移動させてより操作性のよい扉開閉機構を得ることができる。
【００７２】
本実施形態によると、シャフト５１に対して操作部５ａと同じ側でハンドル５に遊嵌される第１軸部３２ａと、第１軸部３２ａと平行に形成されて扉２ａに支持される第２軸部３２ｂとを有したクランクシャフト３２を備えたので、ハンドル５とクランクシャフト３２を重なるように配置して扉開閉機構を小型にできるとともに、操作部５ａを引く操作力をハンドル５及びクランクシャフト３２により増幅して軽い操作力で扉を開くことができる。
【００７３】
また、スライドカム部材２０を取り外した断熱材３５の端面からシャフト５１及びクランクシャフト３２を挿脱できるので、シャフト５１及びクランクシャフト３２を抜き出してハンドル５を取り外すことができる。これにより、ハンドル５を破損した際に扉２ａと一緒に交換する必要がなくハンドル５のみを交換することができる。従って、使用者の負担を軽減して利便性の高い扉開閉機構を提供することができる。加えて、使用者の多様なニーズに対応して色やデザイン等の異なるハンドル５を容易に取り替えることができる。
【００７４】
尚、ハンドルに連結して開口部の周囲に対向配置される当接部を有し、シャフトを中心にハンドル及び当接部が回動して当接部が本体部を押圧する扉開閉機構において、シャフトを断熱材の端面から挿脱できるようにしてもよい。これにより、上記と同様にハンドルを破損した際に扉と一緒に交換する必要がなくハンドルのみを交換することができる。また、使用者の多様なニーズに対応して色やデザイン等の異なるハンドルを容易に取り替えることができる。
【００７５】
本実施形態において、冷蔵室２の底壁をレバー部材３０により押圧しているが、冷蔵室２の側壁や他の貯蔵室の上壁を押圧してもよい。また、左右両開きの回動式の扉２ａにハンドル５及びレバー部材３０を有する扉開閉機構を設けているが、扉２ａを面内で９０度回転してハンドル５を上下に配置した上下両開きの扉開閉機構（例えば、車のダッシュボードや皿洗い機の開閉扉等）であってもよい。また、貯蔵物を出し入れする開口部を上面に設けた冷凍庫等の扉開閉機構であってもよい。加えて、これらに用いられる扉開閉機構において、上下左右前後のいずれか一箇所を引いて扉が回動する片開きの扉開閉機構にしてもよい。
【００７６】
更に、前後にスライド移動する扉（例えば、冷蔵庫用のスライド式扉等）に本実施形態と同様の扉開閉機構を設けてもよい。この場合、例えばハンドル５の回動軸となるシャフト５１を扉２ａの左右方向の中央部に横設し、左右方向に所定の幅を有したハンドル５の操作部５ａをシャフト５１の下方に配置する。また、ハンドル５の下部に対向する扉２ａの表面に凹部を設ける。
【００７７】
クランクシャフト３２は第２軸部３２ｂが左右方向に扉２ａの側面まで延びて形成され、カムレバー３１を扉２ａの側部の本体部６に対向配置する。これにより、操作部５ａの裏面に手指を挿入してハンドル５を引くと、カムレバー３１が扉２ａ側方の本体部６を押圧して扉２ａを本体部６から所定間隔離隔させることができる。尚、ハンドル５の操作部５ａを、シャフト５１の上方に配置してもよい。
【産業上の利用可能性】
【００７８】
本発明は、冷蔵庫、車のダッシュボード、皿洗い機等の扉を開閉する扉開閉機構に利用することができる。
【図面の簡単な説明】
【００７９】
【図１】本発明の実施形態の冷蔵庫を示す正面図
【図２】本発明の実施形態の冷蔵庫のヒンジアングルを示す正面図
【図３】本発明の実施形態の冷蔵庫のヒンジアングルを示す平面図
【図４】本発明の実施形態の冷蔵庫のスライドカム部材を示す平面図
【図５】本発明の実施形態の冷蔵庫の扉のハンドル部分を示す正面断面図
【図６】本発明の実施形態の冷蔵庫の扉のハンドル部分を示す平面断面図
【図７】本発明の実施形態の冷蔵庫の扉のハンドル部分を示す側面断面図
【図８】図５のＡ−Ａ断面図
【図９】本発明の実施形態の冷蔵庫のハンドル本体部を示す図
【図１０】本発明の実施形態の冷蔵庫のハンドル補強アングルを示す図
【図１１】本発明の実施形態の冷蔵庫のハンドル装飾板を示す図
【図１２】本発明の実施形態の冷蔵庫のクランクシャフトを示す正面図
【図１３】本発明の実施形態の冷蔵庫の支持部材を示す図
【図１４】本発明の実施形態の冷蔵庫の扉開成時のハンドル部分を示す平面断面図
【図１５】本発明の実施形態の冷蔵庫の扉開成時のカム機構の動作を示す平面図
【図１６】本発明の実施形態の冷蔵庫の扉開成時のカム機構の動作を示す平面図
【図１７】本発明の実施形態の冷蔵庫の扉開成時のカム機構の動作を示す平面図
【図１８】本発明の実施形態の冷蔵庫の扉開成時のカム機構の動作を示す平面図
【符号の説明】
【００８０】
１    冷蔵庫
２    冷蔵室
２ａ  扉
３    野菜室
４    冷凍室
５    ハンドル
５ａ  操作部
６    本体部
７、８  シャフトカバー
９    ドアキャップ
１０    ヒンジアングル
１１    ヒンジピン
１２    ロック外カム
１３    リブ
２０    スライドカム部材
２２    スライド外カム
２３    ボス
２４    第１溝カム
２５    第２溝カム
３０    レバー部材
３１    カムレバー（当接部）
３２    クランクシャフト
３２ａ  第１軸部
３２ｂ  第２軸部
３２ｄ  連続部
３５    断熱材
５１    シャフト
５２    ハンドル本体部
５３    ハンドル補強アングル
５３ａ  長孔
５４    ハンドル装飾板
５６    クランクシャフトカバー
５７    支持部材
５７ｂ、５７ｄ  リブ
【図１】
2006242440.tif 000003
【図２】
2006242440.tif 000004
【図３】
2006242440.tif 000005
【図４】
2006242440.tif 000006
【図５】
2006242440.tif 000007
【図６】
2006242440.tif 000008
【図７】
2006242440.tif 000009
【図８】
2006242440.tif 000010
【図９】
2006242440.tif 000011
【図１０】
2006242440.tif 000012
【図１１】
2006242440.tif 000013
【図１２】
2006242440.tif 000014
【図１３】
2006242440.tif 000015
【図１４】
2006242440.tif 000016
【図１５】
2006242440.tif 000017
【図１６】
2006242440.tif 000018
【図１７】
2006242440.tif 000019
【図１８】
2006242440.tif 000020